(57)【要約】【課題】ガイドレールが固定配設されていても、移動する支持金具などに付設されるガイドローラを、何ら支障なくガイドレールの前面側から内部に組み入れて移動可能に案内支持できる構成のローラ案内支持装置を提供する。【解決手段】相対向する内側面にガイド部が長手方向に平行して設けられた溝形のガイドレール２と、このガイドレール２の前記ガイド部に係合して案内されるガイドローラ１４を備えるキャリア１０とを具備し、そのキャリア１０は少なくとも二つのブロックからなり、前記ガイドレール２の溝内に前記キャリア１０のガイドローラ１４を前側から挿入できて、その少なくとも２個のガイドローラ１４，１４と１個のガイドローラ１４が前記相対向する両ガイド部に別個に当接するようにして、前記キャリア１０を相互に連結することで案内支持される構成である。【選択図】図１
2006000340.tif 000002
【特許請求の範囲】
【請求項１】
相対向する内側面にガイド部が長手方向に平行して設けられた溝形のガイドレールと、このガイドレールの前記ガイド部に係合して案内されるガイドローラを備えるキャリアとを具備し、そのキャリアは少なくとも二つのブロックからなり、前記ガイドレールの溝内に前記キャリアのガイドローラを前側から挿入できて、その少なくとも２個のガイドローラと１個のガイドローラが前記相対向する両ガイド部に別個に当接するようにして、前記キャリアを相互に連結することで案内支持される構成であることを特徴とするローラ案内支持装置。
【請求項２】
前記キャリアは、分割された少なくとも二つのキャリアブロックに付設する前記ガイドローラが交互に前記ガイドレール内側の相対向するガイド部に当接して案内支持されるようにされ、前記キャリアブロックを直列して連結構成される請求項１に記載のローラ案内支持装置。
【請求項３】
前記分割されたキャリアブロックは、複数のガイドローラを備える場合、ガイドレール前面に沿って傾けると、付設されているガイドローラが前記ガイドレールのガイド部との接触を断って溝状内部から前側に出し入れできる体勢になり、正常姿勢に戻して他のキャリアブロックと接続することにより外れることなくガイドレールに沿って案内支持される構成である請求項１または２に記載のローラ案内支持装置。
【請求項４】
前記キャリアは、基本的に３ブロックからなり、その各キャリアブロックに少なくとも１個のガイドローラを付設して、それらガイドローラが前記ガイドレールの内側両ガイド部に対して交互に当接して案内支持されるよう連結されている請求項１に記載のローラ案内支持装置。
【請求項５】
前記ガイドレールに形成されるガイド部は、前記キャリアに配されるガイドローラが当接する突条または溝条で、前記キャリアが正常姿勢にあるときガイドレール前側面側に外脱できないようにガイドローラを保持して案内する構成である請求項１〜４のいずれかに記載のローラ案内支持装置。
【発明の詳細な説明】
【技術分野】
【０００１】
本発明は、主として壁体などに沿って設けられる棚や吊り掛け物体を簡便に移動可能に支持して使用できるローラ案内支持装置に関するものである。
【背景技術】
【０００２】
従来、建物の屋内で壁面に沿わせて戸棚を設けたり、厨房用具などを吊り掛けるには、一般に固定的に取り付けるようにされているが、近時、生活環境の変化によって、戸棚や厨房用具を使用しないときに目立たないように片隅に移動させて収納するような方式が要望され、採用される傾向にある。また、このようなものとは異なり、生活の多様化で、居間の適所に大型スクリーンを張ってプロジェクターでもって画面を拡大してテレビ画面やビデオ映画を投影し、鑑賞するというような楽しみを行っており、このような場合、そのスクリーンに対するプロジェクターの配置が問題となる。そのために、プロジェクターを壁面に近づけて配置するとともに、スクリーンの位置を部屋の中ほどに吊下げるようにして映像を投射するという試みがなされている。このような場合、プロジェクターは普段露出していると何かと不都合があるので、使用されないときには壁面に沿って片隅に収納しておき、必要なときにのみ投影に適した位置まで引き出して使用するのが好ましい。そのようなことから、このプロジェクターの出し入れを容易にするため、壁面に沿わせて案内できるレールを配置することが望まれている。
【０００３】
ところで、前記壁面に沿って戸棚やその他の器具などを支持する支持体を、壁面に沿って移動させるには、通常支持器具をガイドレールによって移動可能に支持する構成となる。このような壁面に取付けられたガイドレールに対して支持金具を移動可能に取付けるには、予めガイドレールに沿って案内されるガイドローラをガイドレール内に組込んで外側に抜け出さない状態として案内される構造とする必要がある。そのために、従来はガイドレールを組み付ける際に、ガイドレールに案内されるローラを組込んでから、そのガイドレールを壁面に取付けるような手段を講じている。
【発明の開示】
【発明が解決しようとする課題】
【０００４】
しかしながら、従来のように、ガイドレールに案内される支持金具のガイドローラをそのレールに組込んでから壁面部に取付ける方式であると、使用によってガイドローラがうまく転がらず円滑に移動させることができないなどの支障が生じた場合、支持金具のみを取り外すことができるとしても、不具合なガイドローラをレールから取り外すことができず、結果的にガイドレールを取り外して後にガイドローラを取り除き新たなものと交換するというようなことになる。当然のことながら、壁面部からガイドレールを取り外すことは、壁面をいためることになるので、好ましくない。特に内装をきれいに施されている壁面部では、例えばタイルや壁紙などを剥がす必要があると、補修に多くの費用を費やして、しかも補修個所と当初の施工面との間にむらが生じて見苦しくなるというような問題が生じる。
【０００５】
また、前述のように、ガイドレールに組込まれたガイドローラを、その支持金具やガイドローラに故障が発生すると、せっかく取付けてあるガイドレールを壁面部から取り外してガイドローラなどを点検修理・交換を余儀なくされるので、壁面の装飾面までも補修の必要が生じるので、このような余分な手数をかけるのを回避するには、ガイドローラがレールの端部から取り出せるようにするために、ガイドレールを壁面から浮かせて設けねばならず、外観上の体裁が損なわれる。あるいは壁面からの突き出し寸法が大きくなって不具合であるなどの問題点もある。
【０００６】
本発明はこのような問題点を解決するためになされたもので、建物の壁面に付されるガイドレールを固定的に配設しても、移動する支持金具などに付設されるガイドローラを、何ら支障なくガイドレールの前面側からその内部に組み入れて移動可能に案内支持できる構成とされるローラ案内支持装置を提供することを目的とするものである。
【課題を解決するための手段】
【０００７】
このような目的を達成するために、本発明によるローラ案内支持装置は、
相対向する内側面にガイド部が長手方向に平行して設けられた溝形のガイドレールと、このガイドレールの前記ガイド部に係合して案内されるガイドローラを備えるキャリアとを具備し、そのキャリアは少なくとも二つのブロックからなり、前記ガイドレールの溝内に前記キャリアのガイドローラを前側から挿入できて、その少なくとも２個のガイドローラと１個のガイドローラが前記相対向する両ガイド部に別個に当接するようにして、前記キャリアを相互に連結することで案内支持される構成であることを特徴とするものである（第１発明）。
【０００８】
前記発明において、前記キャリアは、分割された少なくとも二つのキャリアブロックに付設する前記ガイドローラが交互に前記ガイドレール内側の相対向するガイド部に当接して案内支持されるようにされ、前記キャリアブロックを直列して連結構成されるのがよい（第２発明）。
【０００９】
また、前記発明において、前記分割されたキャリアブロックは、複数のガイドローラを備える場合、ガイドレール前面に沿って傾けると、付設されているガイドローラが前記ガイドレールのガイド部との接触を断って溝状内部から前側に出し入れできる体勢になり、正常姿勢に戻して他のキャリアブロックと接続することにより外れることなくガイドレールに沿って案内支持される構成とされるのがよい（第３発明）。
【００１０】
前記発明において、前記キャリアは、基本的に３ブロックからなり、その各キャリアブロックに少なくとも１個のガイドローラを付設して、それらガイドローラが前記ガイドレールの内側両ガイド部に対して交互に当接して案内支持されるよう連結されているのがよい（第４発明）。
【００１１】
前記各発明において、前記ガイドレールに形成されるガイド部は、前記キャリアに配されるガイドローラが当接する突条または溝条で、前記キャリアが正常姿勢にあるときガイドレール前側面側に外脱できないようにガイドローラを保持して案内する構成であるのがよい（第５発明）。
【発明の効果】
【００１２】
本発明によれば、構築物の壁面などにガイドレールを、その開口側を手前にして取り付けて、このガイドレールに対してキャリアを案内支持させるには、分割されたキャリアブロックを、それに付設されている複数のガイドローラが前記開口内に挿入できるように傾斜させ、それらガイドローラをガイドレールの内側部に相対向して形成されているガイド部にそれぞれ当接させて組込む。こうすることによりガイドレールの前面からガイドローラを内部にはめ込むことができるので、分割されてもう一つのキャリアブロックを同様にしてガイドレール内部にガイドローラを挿入させて両キャリアブロックを直列に連結する。こうすることにより、キャリアに付設される複数のガイドローラが、ガイドレールの相対向するガイド部に対して交互に当接してガイドレールからローラが外れることなく案内支持される。
【００１３】
また、本発明によれば、このようにして分割したキャリアのブロック付設のガイドローラを、組立てる際にはガイドローラがガイドレール内に挿入容易なように向きを傾けて相対向して形成されるガイド部に交互に当接係合することで、正常姿勢では側部から出ないと受入れられないものを、前面の開口側から嵌め込んでガイド部に係合受け止められるようにすることができるので、ガイドレール設置後においてキャリアの組み付けができ、組立作業を容易にするという効果を奏するのである。
【００１４】
また、キャリアは、分割された少なくとも二つのキャリアブロックに付設するガイドローラが交互に前記ガイドレール内側の相対向するガイド部に当接して案内支持されるようにされるので、そのキャリアの組み合わせによって使用されるキャリア全体として、寸法的に大きなものから小さいものなど任意の組み合わせが構成でき、用途に対応させることができるという利点がある。
【発明を実施するための最良の形態】
【００１５】
次に、本発明によるローラ案内支持装置の具体的な実施の形態について、図面を参照しつつ説明する。
【００１６】
図１には本発明に係るローラ案内支持装置の基本的な実施形態を組立前の状態で表わす正面図（ａ）とそのＡ−Ａ視一部断面図（ｂ）が示されている。図２にはローラ案内支持装置のキャリアの正面図（ａ）とそのＢ−Ｂ断面図（ｂ）およびＣ−Ｃ断面図（ｃ）並びに背面図（ｄ）が、それぞれ示されている。
【００１７】
この実施形態のローラ案内支持装置１は、建物の壁面などに沿わせて取付けられる断面溝形のガイドレール２と、このガイドレール２の溝部に複数のガイドローラを嵌め込んで案内されるキャリア１０とで構成されている。
【００１８】
前記ガイドレール２は、扁平な溝形でそのウエブ２ａに対して直交する図上における上下のフランジ部２ｂ，２ｂ’内側で相対向する面に、断面が突曲形のガイド条３，３’（本発明のガイド部に対応）がそれぞれ軸方向に形成されている。そして、前記ウエブ２ａ面に直交して所要の間隔で壁面に対する取付孔（図示省略）が穿設されている。
【００１９】
このガイドレール２に案内されるキャリア１０は、背面側に二個のガイドローラ１４，１４を設けられるキャリアブロック１１と、背面側に一個のガイドローラ１４を付設するキャリアブロック１２の二個に分割されている。これらキャリアブロック１１，１２は、その長手方向の一側部で、前後に重ねあってボルト締結することにより一つのキャリア１０を構成するようにされている。なお、前記連結用のボルト１６は皿頭ボルトにて締結によってキャリア１０の前面にボルト頭部が突出しないようにしておくのが好ましい。ただしこれに限定されるものではない。
【００２０】
また、キャリア１０に付設されるガイドローラ１４は、いずれもキャリアブロック１１，１２における本体に基部で締着される支持軸１３にて回転自在に支持されている。そして、その支持軸１３の取付位置が、一方のキャリアブロック１１と他方のキャリアブロック１２で、ガイドレール２の一方のガイド条３に二個が当接し、他方のガイド条３’に一個が当接するように交互に配置されている。したがって、そのガイドローラ１４の直径ｄは、ガイドレールの溝部の幅Ｂよりも小さくされ、外周部にガイド条３と接する円弧状の溝１４ａが形成されたものである。そして、前記ガイドローラ１４は、図２（ａ）（ｄ）にて示されるように、交互に異なる側のガイド条３，３’に当接して案内されるようになる。
【００２１】
このようにされるキャリア１０は、建物の壁面５０などに沿わせて取付けられたガイドレール２に対して組み付けるには、図１（ａ）に表わされるように、キャリアブロック１１，１２を分離した状態にして一方のキャリアブロック１１を傾けて、二個のガイドローラ１４，１４をガイドレール２の前面からその溝内に入る姿勢にしてそれらローラ１４を溝内に収め、次いでもう一方のキャリアブロック１２をガイドローラ１４がガイドレール２の溝内に収める。その後に各ガイドローラ１４がそれぞれ対応するガイド条３，３’に当接係合するように整えた後、両キャリアブロック１１，１２の連結部を重ね合わせてボルト１６にて連結する。こうすることにより、キャリア１０は上下に配された各ガイドローラ１４の溝１４ａに対してガイド条３（３’）が係合するので、最早外側に外れ出すことなくガイドレール２に沿って案内支持される状態となる。
【００２２】
こうしてガイドレール２に案内支持されるようになったキャリア１０の前面に、図３によって示されるように、例えばそのキャリア１０の前面に支持台５５を、予めキャリア１０に設けてある取付ネジ孔１５にてボルト締結して取り付けて、その支持台５５に目的の物品を設置してキャリア１０を移動させるようにして使用される。この図３に表わされるものでは支持台５５に薄型ディスプレイ５６を搭載して、不使用時には側方のブラインド個所に収納しておき、必要時にガイドレール２に沿わせて使用位置まで引き出して映像などの鑑賞を行う。もちろん、その他各種用途に使用できる。
【００２３】
次に、図４（ａ）（ｂ）に示されるのは他の実施形態であって、前記要領の溝形をしたガイドレール２に対して、キャリア１０Ａが長寸のものを使用する場合について説明する。このキャリア１０Ａは、長手方向の両端部にガイドローラ１４，１４を備えたキャリアブロック１１Ａ，１２Ａを配し、それらキャリアブロック１１Ａ，１２Ａ間を所要長さの接続部材１７にて連結して構成されるものである。なお、基本構成については前記実施形態のものと同様であるので、詳細な説明を省略して符号については同一の符号で表わす。
【００２４】
前記両側のキャリアブロック１１Ａ，１２Ａは、いずれも二個のガイドローラ１４を前記実施形態のものと同様に、ガイドレール２の相対向するフランジ部２ｂ、２ｂの内面に形成されるガイド条３，３’に当接するように位置をずらせて対称に配設されている。したがって、ガイドレール２に組み付ける際にはガイドローラ１４，１４がガイドレール２の溝部に挿入できるようにキャリアブロック１１Ａ，１２Ａを傾けてそれらガイドローラ１４，１４を嵌め込んで、その後にそれら両ガイドローラ１４，１４が相反する位置のガイド条３，３’に当接係合して案内されるようにする。その後において両キャリアブロック１１Ａ，１２Ａと接続部材１７とを連結部でボルト１６締結することにより長尺のキャリア１０Ａをガイドレール２に沿って移動させることができる。
【００２５】
このように形成されるキャリア１０Ａでは、そのキャリア１０Ａの接続部材１７に取付孔１８を設けて、その取付孔１８により目的とする支持物体（図示せず）を取付支持することにより大型の物体、例えばスクリーンなどを支持してガイドレール２に案内されて移動させることができる。
【００２６】
次に、図５（ａ）（ｂ）（ｃ）にローラ案内支持装置の他の実施形態を表わす図が示されている。なお、基本構成については前記実施形態のものと同様であるので、詳細な説明を省略して符号については同一の符号で表わす。
【００２７】
この実施形態のローラ案内支持装置１Ｂは、一つのキャリアブロック１１Ｂ，１２Ｂに１個のガイドローラ１４’を、溝形のガイドレール２に対して異なる側のガイド条３，３’と交互に接触するように付設するガイドローラ１４’の支持軸１３’位置を走行方向軸線に直交して少し偏心させて設けられている。このキャリアブロック１１Ｂ，１２Ｂは基盤を板材で形成され、３個のブロック１１Ｂ，１２Ｂ，１１Ｂの接続で一つのキャリア１０Ｂを構成するものである。そして、中央位置のキャリアブロック１２Ｂはガイドローラ１４’を両端のキャリアブロック１１Ｂと異なる位置に配置してあり、基盤の両端を接続部として他のキャリアブロック１１Ｂ、１１Ｂの基板と重ね合うように段付けして形成されている。また、ガイドローラ１４’は、前述の実施形態と同様にガイドレール２の溝内に収まる直径にされていて、図５（ｂ）（ｃ）で示されるように、周面を凸曲面に形成されている。これに対するガイドレール２は、その相対向するフランジ部２ｂ内面には凹曲面のガイド条３ａが長手方向に形成されている。
【００２８】
このように形成されるキャリア１０Ｂは、分割構造の各キャリアブロック１１Ｂ，１２Ｂ，１１Ｂを、個々にガイドローラ１４’をガイドレール２の溝内に収めてそれぞれ対応するガイド条３ａ、３ａに当接させてから連結個所でボルト１６にて接続して一体に構成される。こうすることによってガイドレール２に保持されて案内移動できるようにされる。このキャリア１０Ｂに対して装着する支持物体（図示せず）は、キャリア１０Ｂに設けてある取付孔１８でボルト連結する。こうしてキャリア１０Ｂに支持されてガイドレール２に沿い走行移動させることができるのであり、キャリア１０Ｂは溝形にされているガイドレール２内でその対向するフランジ部２ｂ、２ｂに形成されている両ガイド条３ａ，３ａにそれぞれガイドローラ１４’が当接係合して移動して溝外に外れ出すことなく移動できるので支障を来たすことはない。なお、このキャリアでは、図５で示されるように、キャリアブロック１１Ｂと１２Ｂとの組合わせであるから、必要に応じてさらにキャリアブロックを連鎖することにより、長い構造のものとすることができる。
【００２９】
図６（ｄ）〜（ｇ）にはガイドレールの他の実施形態を表わす断面図であって、キャリアのガイドローラとの組み合わせで表わされている。
【００３０】
図６（ｄ）に示されるガイドレール２Ａは、溝形をしたガイドレール２の一方のフランジ部２ｂ外に取付脚２ｄが全長にわたり一体に形成されたものであり、ガイド条３，３’として凸条が形成されているタイプのものである。また、図６（ｅ）に示されるガイドレール２Ｂのは、前記同様に取付脚２ｄを備えるガイドレール２のガイド条３ａが凹曲面に形成されたものである。さらに、図６（ｆ）（ｇ）に示されるガイドレール２Ｃ，２Ｄは、いずれもレールフランジ部２ｂにそれぞれ交差して外向きに取付脚２ｅ，２ｅが全長にわたり形成されたもので、一方（ｆ）は凸条のガイド条３が、（ｇ）では凹曲面のガイド条３ａがそれぞれ設けられたものである。
【００３１】
このような取付脚２ｄを備えるガイドレール２Ａ（２Ｂ）は、壁面に取付けるほか、例えば図７に示されるようにガイドレール２Ａを、その取付脚２ｄを天井部５１に取付けるようにし、このガイドレール２Ａに対向して下側（例えば床面５２）に別個ガイドレール５３を敷設して、前記上部のガイドレール２Ａに案内支持されるキャリア１０によって搬送体５８を吊下げ、搬送体５８の下部に補助車輪５９（補助ローラ）を取付けて下側ガイドレール５３に案内させ、前記キャリア１０側に外部から動力を加えて移動させるような装置に採用できる。このような場合においても、ガイドレール２Ａに対するキャリア１０の組み付けは、前述のようにできるので、ガイドレール２Ａの設置後に任意の個所でキャリア１０の組み込みができるから、ガイドレールが長く設置されていても搬送体５８の装着が容易に行えるのである。
【００３２】
このように、本発明によれば、簡単な構造にして、長尺の溝形のガイドレールに対して、キャリアを複数に分割して構成することにより、それらキャリアのブロックに付設するガイドローラをガイドレールの溝部内に嵌め込んでからキャリアの基盤の向きを少し上下に変えて、ガイドレールからガイドローラが外れないようにすることようにし、ガイドレールの端部からガイドローラを組込む必要なく、キャリアの装着・取り外しができるのである。したがって、屋内でガイドレールを用いて横移動させる機器の支持構造として、簡単で便利に取扱うことができる。
【００３３】
なお、本発明によるローラ案内支持装置は、別途に支持できる機構を備えるならば、縦方向に移動させる装置のガイド機構に採用することもできる。
【図面の簡単な説明】
【００３４】
【図１】本発明に係るローラ案内支持装置の基本的な実施形態を組立前の状態で表わす正面図（ａ）とそのＡ−Ａ視一部断面図（ｂ）
【図２】ローラ案内支持装置のキャリアの正面図（ａ）とそのＢ−Ｂ断面図（ｂ）およびＣ−Ｃ断面図（ｃ）並びに背面図（ｄ）
【図３】ローラ案内支持装置の一使用形態を表わす図
【図４】ローラ案内支持装置の他の実施形態の正面図（ａ）と組立態様を表わす図（ｂ）
【図５】ローラ案内支持装置の他の実施形態を表わす正面図（ａ）とそのＣ−Ｃ視断面図（ｂ）およびそのＤ−Ｄ視断面図（ｃ）
【図６】（ｄ）〜（ｇ）はガイドレールの他の実施形態を表わす断面図
【図７】ローラ案内支持装置の他の実施形態を表わす図
【符号の説明】
【００３５】
１      ローラ案内支持装置
２，２Ａ，２Ｂ，２Ｃ，２Ｄ    ガイドレール
２ｂ    ガイドレールのフランジ部
２ｄ，２ｅ    取付脚
３，３，３ａ  ガイド条
１０，１０Ａ，１０Ｂ    キャリア
１１，１１Ａ，１１Ｂ，１２，１２Ａ，１２Ｂ  キャリアブロック
１３    ガイドローラの支持軸
１４，１４’  ガイドローラ
１７    接続部材
【図１】
2006000340.tif 000003
【図２】
2006000340.tif 000004
【図３】
2006000340.tif 000005
【図４】
2006000340.tif 000006
【図５】
2006000340.tif 000007
【図６】
2006000340.tif 000008
【図７】
2006000340.tif 000009